(57)【要約】 【課題】  操作が簡単であり且つ構造が簡単なディスクローディング機構を備えたディスクドライブ装置を提供する。【課題手段】  ディスクドライブ装置は、ディスクを挿入するためのディスク挿入口と、ディスクを固定するチャックを有するディスクチャック部と、ディスクを排出するためのディスク排出口と、を有し、上記ディスク挿入口は上記ディスクチャック部より上方に設けられ、上記ディスク排出口は上記ディスクチャック部より下方に設けられている。【選択図】  図１
2005259271.tif 000002
【特許請求の範囲】
【請求項１】
ディスクを挿入するためのディスク挿入口と、ディスクを固定するチャックを有するディスクチャック部と、ディスクを排出するためのディスク排出口と、を有し、上記ディスク挿入口は上記ディスクチャック部より上方に設けられ、上記ディスク排出口は上記ディスクチャック部より下方に設けられていることを特徴とするディスクドライブ装置。
【請求項２】
更に、上記ディスク挿入口から挿入されたディスクを上記ディスクチャック部に導くためのディスク挿入路と、上記ディスクチャック部から排出されたディスクを上記ディスク排出口に導くためのディスク排出路と、が設けられていることを特徴とする請求項１記載のディスクドライブ装置。
【請求項３】
上記ディスク挿入路によって形成されるディスクの経路は、湾曲していることを特徴とする請求項２記載のディスクドライブ装置。
【請求項４】
上記ディスク挿入路によって形成されるディスクの経路は、直線状であることを特徴とする請求項２記載のディスクドライブ装置。
【請求項５】
上記ディスク排出路によって形成されるディスクの経路は、湾曲していることを特徴とする請求項２記載のディスクドライブ装置。
【請求項６】
上記ディスク排出路によって形成されるディスクの経路は、直線状であることを特徴とする請求項２記載のディスクドライブ装置。
【請求項７】
上記ディスク挿入口から挿入されたディスクは、上記ディスク挿入路を回転しながら移動し、上記ディスクチャック部へ導かれるように構成されていることを特徴とする請求項２記載のディスクドライブ装置。
【請求項８】
上記ディスクチャック部から排出されたディスクは、上記ディスク排出路を回転しながら移動し、上記ディスク排出口へ導かれることを特徴とする請求項２記載のディスクドライブ装置。
【請求項９】
上記ディスクは立てた状態にて、上記ディスク挿入口より挿入され、上記ディスクチャック部にて保持され、上記ディスク排出路より排出される縦型であることを特徴とする請求項１記載のディスクドライブ装置。
【発明の詳細な説明】
【技術分野】
【０００１】
本発明はＣＤ、ＣＤ−ＲＯＭ、ＤＶＤ等のディスク状の記録媒体を使用して、記録又は再生するディスクドライブ装置に関する。
【背景技術】
【０００２】
従来、ディスクドライブ装置のディスクローディング方式として、蓋を開けて直接ディスクを挿入するトップローディング方式、図４Ａに示すように開閉位置を往復移動するトレイ上にディスクを乗せるトレイローディング方式、図４Ｂに示すようにディスクを挿入口に入れると自動的に挿入されるスロットインローディング方式等が知られている。
【特許文献１】特開平７−９３８６１号公報
【発明の開示】
【発明が解決しようとする課題】
【０００３】
トップローディング方式は、ユーザが蓋を開閉しなければならない欠点がある。トレイローディング方式は、ユーザがディスクをトレイ上に配置しなければならず、更に、トレイを往復移動させる機構が必要である。スロットインローディング方式は、ディスクが挿入されたことを検出する機能及びディスクを往復移動させる機構が必要である。
【０００４】
本発明は操作が簡単であり且つ構造が簡単なディスクローディング機構を備えたディスクドライブ装置を提供することを目的とする。
【課題を解決するための手段】
【０００５】
本発明によると、ディスクドライブ装置は、ディスクを立てた状態にて挿入するためのディスク挿入口と、ディスクを立てた状態にて固定するチャックを有するディスクチャック部と、ディスクを立てた状態にて排出するためのディスク排出口と、を有し、上記ディスク挿入口は上記ディスクチャック部より上方に設けられ、上記ディスク排出口は上記ディスクチャック部より下方に設けられている。
【発明の効果】
【０００６】
本発明のディスクドライブ装置によると、ユーザは、簡単な操作によりディスクの出し入れを行うことができる。
【発明を実施するための最良の形態】
【０００７】
図１を参照して本発明によるディスクドライブ装置の例を説明する。本例のディスクドライブ装置は、ディスクを挿入するためのディスク挿入口１１とディスク挿入路１２とディスクチャック部１３とディスク排出路１４とディスクを排出するためのディスク排出口１５とを有する。本例のディスクドライブ装置は、縦型であり、ディスクは立てた状態にて、ディスク挿入口１１より挿入され、ディスクチャック部１３にて保持され、ディスク排出口１５より排出される。
【０００８】
ディスク挿入口１１及びディスク排出口１５は、本体１０の前面に設けられている。ディスク挿入路１２、ディスクチャック部１３及びディスク排出路１４は本体１０の内部に設けられている。
【０００９】
ディスク挿入路１２は、ディスク挿入口１１とディスクチャック部１３を接続し、ディスクをディスク挿入口１１からディスクチャック部１３へ導くディスクの挿入経路を提供する。ディスク排出路１４は、ディスクチャック部１３とディスク排出口１５を接続し、ディスクをディスクチャック部１３からディスク排出口１５へ導くディスクの排出経路を提供する。
【００１０】
図２及び図３を参照してディスクの経路について説明する。ディスク挿入口１１はディスクチャック部１３より上側に配置され、ディスク排出口１５はディスクチャック部１３より下側に配置されている。従って、ディスク挿入路１２によって形成されるディスクの挿入経路は、ディスク挿入口１１からディスクチャック部１３へ向けて下方に傾斜している。同様に、ディスク排出路１４によって形成されるディスクの排出経路は、ディスクチャック部１３からディスク排出口１５へ向けて下方に傾斜している。
【００１１】
ディスク挿入路１２及びディスク排出路１４によって形成されるディスク経路は、図２の例では湾曲しており、図３の例で直線状である。しかしながら、ディスク経路の形状はこれに限定されない。
【００１２】
本発明によるディスクドライブ装置の使用方法を説明する。ユーザは、ディスク挿入口１１からディスクを立てた状態にて挿入する。ディスクは、立てた状態にて、自重により、即ち、重力により、回転しながら、自動的に、ディスク挿入路１２に沿って移動し、ディスクチャック部１３へ導かれる。ディスクチャック部１３は、ディスクを検出すると、チャック装置によってディスクを自動的に固定する。更に、ディスクを回転させるモータ、ピックアップ装置等が作動し、記録又は再生が行われる。ディスクチャック部１３は、例えば、従来技術のスロットインローディング方式にて使用されている機構が用いられてよい。従って、ここではディスクチャック部１３の詳細な説明は省略する。
【００１３】
ユーザは、ディスクを排出する場合、本体１０の前面に設けられたイジェクトボタン１６を押す。ディスクは、ディスクチャック部１３から排出される。ディスクは、自重により、即ち、重力により、回転しながら、自動的に、ディスク排出路１４に沿って移動し、ディスク排出口１５へ導かれる。ユーザは、ディスク排出口１５から排出されたディスクを取り上げることができる。
【００１４】
ディスクが既にディスクチャック部１３に配置されている場合、それを指示する機構又は、更にディスクが挿入されることを防止する機構が設けられてよい。ディスクがディスクチャック部１３に配置されていることを指示する機構として、図１に示すように、本体の横に窓１７を設け、その窓からディスクチャック部１３にディスクが装着されているか否かを観察することができるようにしてよい。更に、図示しない液晶ディスプレイ部にて、各種の表示に加えて、例えば「ディスクローディング中」の文字を表示してもよい。
【００１５】
ディスクが更に挿入されることを防止する機構として、ディスク挿入口１１又はディスク挿入路１２にディスクの挿入又は導入を阻止するストッパを設けてよい。ディスクチャック部１３は、ディスクをチャックに装着すると、ストッパを作動させる。それにより、ディスクがディスクチャック部１３に導入されることが阻止される。
【００１６】
本発明によるディスクドライブ装置は、ディスクオートチェンジャに適用されてよい。ディスクオートチェンジャは、複数のディスクを保持し、ユーザが選択したディスクを自動的にディスクチャック部に装着し、再生する。このようなディスクオートチェンジャは既知であり、ここでは詳細な説明は省略する。
【００１７】
以上、本発明によるディスクドライブ装置の例を説明したが、本発明は、上述の例に限定されるものではなく、特許請求の範囲に記載された発明の範囲にて様々な変更が可能であることは当業者に理解されよう。
【図面の簡単な説明】
【００１８】
【図１】図１は、本発明によるディスクドライブ装置の概略を示す斜視図である。
【図２】図２は、本発明によるディスクドライブ装置のディスク経路を示す図である。
【図３】図３は、本発明によるディスクドライブ装置のディスク経路を示す図である。
【図４】図４は、従来のディスクドライブ装置のディスクローディング機構を示す図である。
【符号の説明】
【００１９】
１…ディスク、１０…本体、１１…ディスク挿入口、１２…ディスク挿入路、１３…ディスクチャック部、１４…ディスク排出路、１５…ディスク排出口、１６…イジェクトボタン、１７…窓
【図１】
2005259271.tif 000003
【図２】
2005259271.tif 000004
【図３】
2005259271.tif 000005
【図４】
2005259271.tif 000006